(57)【特許請求の範囲】
【請求項１】
決められた信号灯器の色を、同一色の発光ダイオードで表示する第１の領域と、前記第１の領域とは異なる色または第１の領域とは同色で互いに異なる色度および彩度で発光する複数の発光ダイオードを用いて表示する第２の領域とを備え、前記第２の領域は、健常者に対しては前記第１の領域と同じような色で見え、色覚特異者に対しては前記第１の領域と異なる色に見えるように配色されていることを特徴とする信号灯器。
【請求項２】
円形の第１の領域の中に、それぞれの信号灯器に任意に設定した図形により第２の領域を形成したことを特徴とする請求項１記載の信号灯器。
【請求項３】
円形の第２の領域の中に、それぞれの信号灯器に任意に設定した図形により第１の領域を形成したことを特徴とする請求項１記載の信号灯器。
【発明の詳細な説明】
【０００１】
【発明が属する技術分野】
本発明は、色覚特異者に配慮した交通信号等の信号灯器に関する。
【０００２】
【従来の技術】
交通信号灯器の色（灯色）は、一般には「青」、「黄」、「赤」と呼ばれているが、「青」は青と緑の中間色であるので、ここでは青灯色のことを「青緑」と呼ぶことにする。従来、色盲や色弱と呼ばれる色覚特異者（学問的には色覚異常者と呼ばれているが、異常という言葉に語弊があるので、ここでは色覚特異者と呼ぶことにする。色覚異常に関しては、文献「色覚異常」深見    嘉一郎著、金原出版株式会社、１９９５年に詳しい。）にとって、交通信号灯器の色である青（青緑）、黄、赤の色は、色覚特異性の程度により異なるが、同じ色に見えたり、点灯しているにもかかわらず滅灯しているように見えたりするため、灯色の識別が困難である。このため、色覚特異者は、昼間においては学習により獲得した信号の特徴や回りの動きを見ながら灯色を識別しているが、夜間においては、周囲が暗いので正確な識別が困難となっている。
【０００３】
【発明が解決しようとする課題】
近年、従来の白熱電球を用いた信号灯器に代わり、発光ダイオード（ＬＥＤ）を用いた信号灯器が出現し始めている。しかしながら、ＬＥＤを用いた場合、非常に狭い波長にエネルギーが集中するため、色覚特異者には、白熱電球を用いた信号灯器に比べて灯色の識別がより困難になる恐れがある。色覚特異者は、人口比において５％程度存在すると言われ、赤に対し感度の低い第１色覚特異者と、緑に対し感度の低い第２色覚特異者と、青に対して感度の低い第３色覚特異者に分けられ、第３色覚特異者はほとんどいない。したがって、一般的に問題となるのは、第１および第２色覚特異者である。第１色覚特異者にとって、波長６６０ｎｍを越える赤に対しては、著しく感度が低く、波長６６０ｎｍ以下の赤に対しては、茶に見えたり、黒っぽく見えたり、黄に見えたりすることがあり、また青緑は黄に見えたりする。また第２色覚特異者にとっては、赤や青緑は黄に見えることがある。一方、第１および第２色覚特異者にとって、黄や青は比較的認識しやすい。したがって、色覚特異者にとって、少なくとも青緑を青に変更することにより青は青に見えるので、誤認することがないだろうことが、前記文献に記載されている。現行の青緑を青に変更することは、一般健常者にとっても問題ないと思われるので、妥当な案と考えられるが、信号灯器の色度範囲は国際基準であるＣＩＥ（国際照明委員会）および警察庁仕様等で決められているので、それらの基準を変更しない限り実現不可能である。
【０００４】
そこで本発明は、信号灯器の色や形状を、現行基準を遵守しながら色覚特異者が判別しやすいように工夫した信号灯器を提供することを目的とする。
【０００５】
【課題を解決するための手段】
本発明は、上記目的を達成するために、信号灯器の青（青緑）、黄、赤等の色を、光源として発光色の異なる複数の発光ダイオードを用いて色を混合して表示するようにしたものであり、色の相違をより明確にするために、色覚特異者にのみ認識できるように図形を表示するようにしたものである。これにより、一般の健常者は基準通りの色と認識できるとともに、色覚特異者は、それぞれを区別して認識することができる。
【０００７】
【発明の実施の形態】
本発明の請求項１に記載の発明は、決められた信号灯器の色を、同一色の発光ダイオードで表示する第１の領域と、前記第１の領域とは異なる色または第１の領域とは同色で互いに異なる色度および彩度で発光する複数の発光ダイオードを用いて表示する第２の領域とを備え、前記第２の領域は、健常者に対しては前記第１の領域と同じような色で見え、色覚特異者に対しては前記第１の領域と異なる色に見えるように配色されていることを特徴とするものであり、一般の健常者は全体を基準通りの色と認識できるとともに、色覚特異者は、第１の領域と第２の領域とを異なるものと認識するので、色覚特異者に対してのみ特別なメッセージを送ることができる。
【０００８】
本発明の請求項２に記載の発明は、円形の第１の領域の中に、それぞれの信号灯器に任意に設定した図形により第２の領域を形成したことを特徴とする請求項１記載の信号灯器であり、色覚特異者に対してのみ図形により特別なメッセージを送ることができる。
【０００９】
本発明の請求項３に記載の発明は、円形の第２の領域の中に、それぞれの信号灯器に任意に設定した図形により第１の領域を形成したことを特徴とする請求項１記載の信号灯器であり、色覚特異者に対してのみ図形により特別なメッセージを送ることができる。
【００１０】
（実施の形態１）
以下、本発明の実施の形態を図面を参照して説明する。図１は本発明の第１の実施の形態における信号灯器を示す。図１（ａ）において、信号灯器１は、筐体２のそれぞれフード２ａの下に、左側から青（青緑）灯３、黄灯４および赤灯５を備えている。青（青緑）灯３は、図１（ｂ）に示すように、カバー６の内側に青色発光ダイオード７と緑色発光ダイオード８とを交互にほぼ均等に整列させたものである。黄灯４は、黄色発光ダイオードを多数配列し、赤灯５は、赤色発光ダイオードを多数配列したものである。多数の発光ダイオードを配列した信号灯器自体については、既に一部の地域で実際に使用されており、現行の信号灯器に比べてコストが高いものの、発光面が均一なこと、寿命が長いこと、消費電力が小さいこと、太陽光による反射がなく見やすいこと等、優れた点が評価されている。
【００１１】
信号灯器１の各部の寸法は、現行の信号灯器と同じである。現行の信号灯器は、光源として白熱電球を使用して、その前面のカバーを着色して基準の色を表示しており、消灯時にもその色が認識される。
【００１２】
次に、本実施の形態の動作について説明する。まず青（青緑）灯３が点灯する場合、ほぼ同数の青色発光ダイオード７と緑色発光ダイオード８とがそれぞれの色で発光するので、健常者には青と緑を合成した青緑色と認識でき、現行の青（青緑）灯と変わりはない。また色覚特異者には、青は青として認識できるので、青色または黄色がかった青色の灯器として認識することができる。また、黄灯４が点灯する場合は、黄色発光ダイオードが発光するので、健常者および色覚特異者とも黄色の灯器として認識することができる。また、赤灯５が点灯する場合は、赤色発光ダイオードが発光するので、健常者には赤色、第１色覚特異者には黒っぽい赤すなわち赤茶色として認識され、第２色覚特異者には、黄色っぽい赤すなわち橙色の灯器として認識することができる。
【００１３】
このように、本実施の形態１によれば、信号灯器１における青（青緑）灯３、黄灯４および赤灯５に関して、それらが点灯した場合には、健常者には現行通りの青（青緑）、黄、赤として認識でき、第１色覚特異者には、おおむね青、黄、赤茶として認識できき、第２色覚特異者には、おおむね青、黄、橙として認識することができる。
【００１４】
（実施の形態２）
上記第１の実施の形態は、軽度の色覚特異者には対応できるが、比較的強度の色覚特異者の場合、青（青緑）、黄、赤が全て同一色に見える場合もあり、上記第１の実施の形態では対応することができない。そこで、図２に示す本発明の第２の実施の形態では、比較的強度の色覚特異者でも３色の灯器を区別できるようにしたものである。図２において、信号灯器１１は、筐体１２のそれぞれフード１２ａの下に、左側から青（青緑）灯１３、黄灯１４および赤灯１５を備えており、各灯器の表面はカバーで覆われている。信号灯器１１の各部の寸法は、現行の信号灯器と同じである。青（青緑）灯１３は、青緑色発光ダイオードのみを整列させた円形の第１発光領域１３ａと、その周囲に設けられて、青色発光ダイオードと緑色発光ダイオードとを交互に整列させた第２発光領域１３ｂとで構成される。黄灯１４は、黄色発光ダイオードのみを整列させた三角形の第１発光領域１４ａと、その周囲に設けられて、赤色発光ダイオードと緑色発光ダイオードとを交互に整列させた第２発光領域１４ｂとで構成される。赤灯１５は、波長６６０ｎｍを越えた赤色発光ダイオードのみを整列させた四角形の第１発光領域１５ａと、その周囲に設けられて、可能な限り６６０ｎｍよりも波長の短い赤色発光ダイオードのみを整列させた第２発光領域１５ｂとで構成される。
【００１５】
次に、本実施の形態の動作について説明する。まず青（青緑）灯１３が点灯する場合、第１発光領域１３ａでは青緑色発光ダイオードが発光し、第２発光領域１３ｂではほぼ同数の青色発光ダイオードと緑色発光ダイオードとが発光するので、健常者には第１発光領域１３ａと第２発光領域１３ｂとでは同じような青緑色と認識することができる。一方、色覚特異者には、第１発光領域１３ａは黄色と認識し、第２発光領域１３ｂは青色または黄色がかった青色として認識するので、黄色の円形の周囲に青色のリングが嵌まった、または青色の背景の中に黄色の円形が浮かんだ灯器として認識することができる。
【００１６】
また、黄灯１４が点灯する場合は、第１発光領域１４ａでは黄色発光ダイオードが発光し、第２発光領域１４ｂではほぼ同数の赤色発光ダイオードと緑色発光ダイオードとが発光するので、健常者には第１発光領域１４ａと第２発光領域１４ｂとでは同じような黄色と認識することができる。一方、色覚特異者には、第１発光領域１４ａは黄色と認識し、第２発光領域１４ｂは黒っぽい赤すなわち赤茶色または黄色がかった赤すなわち橙色と認識するので、赤茶色または橙色の背景の中に黄色の三角形が浮かんだ灯器として認識することができる。
【００１７】
また、赤灯１５が点灯する場合は、第１発光領域１５ａでは波長６６０ｎｍを越える赤色発光ダイオードが発光し、第２発光領域１５ｂでは可能な限り６６０ｎｍよりも波長の短い赤色発光ダイオードが発光するので、健常者には第１発光領域１５ａと第２発光領域１５ｂとでは同じような赤色と認識することができ、一方、第１色覚特異者には、第１発光領域１５ａは認識することができないので黒色と認識し、第２発光領域１５ｂは赤茶色として認識するので、赤茶色の背景の中に黒色の四角形が浮かんだ、または赤茶色の円形の中心部が四角形に抜けた灯器として認識することができる。また、第２色覚特異者には、第１発光領域１５ａは黄色と認識し、第２発光領域１５ｂも黄色として認識するので、黄色の大きな円形の灯器として認識することができる。
【００１８】
このように、本実施の形態２によれば、信号灯器１１における青（青緑）灯１３、黄灯１４および赤灯１５に関して、それらが点灯した場合には、健常者には現行通りの青（青緑）、黄、赤として認識でき、第１色覚特異者には、それぞれ青の背景に円形の黄色、赤茶の背景に三角形の黄色、赤茶の背景に四角形の黒色として認識でき、第２色覚特異者には、それぞれ青の背景に円形の黄色、橙の背景に三角形の黄色、大きな円形の黄色として認識でき、青緑、黄、赤の灯器を形状により区別することができる。
【００１９】
上記第２の実施の形態において、青（青緑）灯１３、黄灯１４、赤灯１５において、第１発光領域と第２発光領域とにおける発光ダイオードの構成を逆にしてもよい。例えば、青（青緑）灯１３では、第１発光領域１３ａに青色発光ダイオードと緑色発光ダイオードの組み合わせを用い、第２発光領域１３ｂに青緑色発光ダイオードのみを用いてもよい。
【００２０】
また上記第２の実施の形態において、各第１発光領域の形状は種々に変更することができる。また、基準という制約がある中で、可能な限り色や形や構造を検討して、色覚特異者が最も区別しやすいものを選択することが望ましい。
【００２１】
【発明の効果】
本発明は、上記実施の形態から明らかなように、信号灯器の青（青緑）、黄、赤等の色を、光源として発光色の異なる複数の発光ダイオードを用いて色を混合して表示するようにしたものであり、また、色の相違をより明確にするために、色覚特異者にのみ認識できるように図形を表示するようにしたものであり、一般健常者は基準通りの色と認識できるとともに、色覚特異者は、それぞれを区別して認識することができる。
【図面の簡単な説明】
【図１】（ａ）本発明の実施の形態１における信号灯器の正面図
（ｂ）本発明の実施の形態１における信号灯器の部分拡大部分断面図
【図２】本発明の実施の形態２における信号灯器の正面図
【符号の説明】
１    信号灯器
２    筐体
３    青（青緑）灯
４    黄灯
５    赤灯
６    カバー
７    青色発光ダイオード
８    緑色発光ダイオード
１１    信号灯器
１２    筐体
１３    青（青緑）灯
１４    黄灯
１５    赤灯
２ａ、１２ａ    フード
１３ａ、１４ａ、１５ａ    第１発光領域
１３ｂ、１４ｂ、１５ｂ    第２発光領域
【図１】
0003563574.tif 000002
【図２】
0003563574.tif 000003